(57)【要約】      （修正有）【課題】簡便な評価方法でシロアリ駆除法に適する殺虫活性成分を見出す。【解決手段】直径５ｃｍのろ紙つきシャーレ内に、ヤマトシロアリの卵エキスと殺虫活性成分を塗布した直径０．４〜０．６ｍｍのガラスビーズ２０個およびヤマトシロアリの卵５個をばらばらに配置させて、健康なヤマトシロアリ職蟻１０頭をこのシャーレ内に放虫したとき、放虫２４時間後に上記のガラスビーズとヤマトシロアリの卵が一緒になった卵塊が形成され、さらに放虫２週間後におけるヤマトシロアリ職蟻の死虫率が８０％以上であり、かつこの殺虫活性成分０．２μｇ含有するメタノール溶液１μＬを健康なヤマトシロアリ職蟻の口器部分に投与してから直径５ｃｍのろ紙つきシャーレ内に放虫するとき、放虫後２週後にヤマトシロアリ職蟻の死虫率が１００％になる評価方法。【選択図】なし【特許請求の範囲】
【請求項１】
直径５ｃｍのろ紙つきシャーレ内に、ヤマトシロアリの卵エキスと殺虫活性成分を塗布した直径０．４〜０．６ｍｍのガラスビーズ２０個およびヤマトシロアリの卵５個をばらばらに配置させて、健康なヤマトシロアリ職蟻１０頭をこのシャーレ内に放虫したとき、放虫２４時間後に上記のガラスビーズとヤマトシロアリの卵が一緒になった卵塊が形成され、さらに放虫２週間後におけるヤマトシロアリ職蟻の死虫率が８０％以上であり、かつこの殺虫活性成分０．２μｇ含有するメタノール溶液１μＬを健康なヤマトシロアリ職蟻の口器部分に投与してから直径５ｃｍのろ紙つきシャーレ内に放虫するとき、放虫後２週後にヤマトシロアリ職蟻の死虫率が１００％になる試験法を適用することを特徴とする、シロアリ駆除法に適する殺虫活性成分を簡便に見出す評価方法。
【請求項２】
請求項１の評価方法が、擬似卵運搬によるシロアリ駆除法の殺虫活性成分を見出す方法であることを特徴とする評価方法。
【発明の詳細な説明】
【技術分野】
【０００１】
本発明は、疑似卵運搬によるシロアリ駆除法に適する殺虫活性成分を簡便に見出すことのできる評価方法に関する。
【背景技術】
【０００２】
現在、主に実用化されているシロアリ駆除法としては、カーバメート系化合物、ピレスロイド系化合物等の殺虫活性成分を含有する製剤をシロアリで被害を受けた箇所やシロアリが家屋に侵入する箇所等に散布する方法があるが、この方法ではシロアリの巣ごと壊滅させることは難しい。一方、シロアリの巣ごと壊滅させるシロアリ駆除法として昆虫成長制御剤を混入した餌をシロアリに摂食させてシロアリ駆除を行うベイト工法が挙げられる。ベイト工法では、限定的に薬剤を使用するので環境を汚染しないという長所がある反面、シロアリを駆除するのに２，３か月もかかるという欠点があった。
【０００３】
近年、殺虫活性成分をシロアリ巣の中枢に効率よく運搬させる方法として、擬似卵運搬によるシロアリ駆除法（以下、本シロアリ駆除法という）が開示されており、本シロアリ駆除法に適用するためのシロアリ駆除組成物が開示されている。疑似卵とは殺虫活性成分とシロアリの卵エキスを塗布または含有させた粒子である。これによれば、擬似卵の運搬を阻害しない範囲でピレスロイド化合物、有機リン化合物、カーバメート化合物等の殺虫活性成分を使用できると記載されている。しかしながら、実際に適用できる殺虫活性成分については、具体的にどのような殺虫活性成分が適するのか、またその薬量範囲についても明らかにされていなかった。本シロアリ駆除法に適する殺虫活性成分を見出すためには、評価すべき殺虫活性成分を用いて、シロアリ巣を駆除できるかどうかを評価することになる。そのためには、実験材料となるシロアリ巣を数多く準備する必要がある。このシロアリ巣を準備する方法としては、シロアリの餌を収納した容器にヤマトシロアリ職蟻４００頭以上を放虫させて、一ヶ月以上常温で放置させることにより、シロアリ巣を構築させる。このように準備したシロアリ巣を用いて評価すれば確実に本シロアリ駆除法に適する殺虫活性成分を見出せるが、実験材料となるシロアリ巣を準備するのに大変な手間と時間を必要とし、大変効率の悪い方法といえる。
【先行技術文献】
【特許文献】
【０００４】
【特許文献１】特開２０００−３４２１４９号公報
【特許文献２】特開２００８−１９４００７号公報
【非特許文献】
【０００５】
【非特許文献１】「創立五十年誌」、第５章防除技術の変遷、社団法人日本しろあり対策協会、平成２１年３月２５日発行、ｐ３１−３５
【発明の概要】
【発明が解決しようとする課題】
【０００６】
そこで、手間と時間のかかるシロアリ巣を用いずに、シロアリ駆除法に適する殺虫活性成分を簡便に見出すことのできる評価方法を提供することが本発明の課題である。
【課題を解決するための手段】
【０００７】
したがって、本発明は、
（１）直径５ｃｍのろ紙つきシャーレ内に、ヤマトシロアリの卵エキスと殺虫活性成分を塗布した直径０．４〜０．６ｍｍのガラスビーズ（疑似卵）２０個およびヤマトシロアリの卵５個をばらばらに配置させて、健康なヤマトシロアリ職蟻１０頭をこのシャーレ内に放虫したとき、放虫２４時間後に上記のガラスビーズとヤマトシロアリの卵が一緒になった卵塊が形成され、さらに放虫２週間後におけるヤマトシロアリ職蟻の死虫率が８０％以上であり、かつこの殺虫活性成分０．２μｇ含有するメタノール溶液１μＬを健康なヤマトシロアリ職蟻の口器部分に投与してから直径５ｃｍのろ紙つきシャーレ内に放虫するとき、放虫後２週後にヤマトシロアリ職蟻の死虫率が１００％になる試験法を適用することを特徴とする、シロアリ駆除法に適する殺虫活性成分を簡便に見出す評価方法、
（２）上記の評価方法が、擬似卵運搬によるシロアリ駆除法に適する殺虫活性成分を見出す方法であることを特徴とする評価方法、
を提供するものである。
【発明の効果】
【０００８】
本発明によれば、手間と時間のかかるシロアリ巣を用いずに、簡便な評価方法で本シロアリ駆除法に適する殺虫活性成分を見出すことができる。
【発明を実施するための形態】
【０００９】
ガラスビーズに塗布または含有する殺虫活性成分は、そのまま塗布または含有させることが困難であるため、シロアリに対し疑似卵の運搬を阻害させない溶剤による希釈剤か、特殊な製剤にすることが望ましい。そのような溶剤として、例えば、水、Ｎ，Ｎ−ジメチルホルムアミド、エタノール、メタノール、グリセリン等のグリコール系溶剤、シリコーンオイル等のシリコン系溶剤等が挙げられるが、シロアリに対して擬似卵の運搬を阻害させない溶剤であればよい。
【００１０】
疑似卵の運搬を阻害させない特殊な製剤としては、乳剤、水性乳剤、活性成分の微粉末や微粒子分を分散剤や増粘剤等で水中に分散させた水性懸濁剤、微粒子や微粉末を溶剤で溶解させて、ウレタン等の高分子樹脂で有効成分を包み込み、その粒子を分散剤、増粘剤等を配合させて水中に分散させるマイクロカプセル製剤等が挙げられる。
【００１１】
本発明の駆除の対象となるシロアリの種類は、世界中で木材類、紙類、家屋・ビル類、堤防、森林、農作物、配管・ケーブル類等を加害するシロアリ目に属するシロアリ類すべてに適用できる。
【００１２】
本シロアリ駆除法に適する殺虫活性成分を見出すための簡便な評価方法としては、以下の１、２および３の評価項目すべて満足するような方法であることが必要である。
評価項目：
１：試験開始から２４時間までは、擬似卵の運搬を阻害しないこと。
２：試験開始から２週間後には、シロアリの死虫率が８０％以上であること。
３：シロアリの口器に０．２μｇの殺虫活性成分を与えると、２週間後に１００％の致死率が得られること。
上記１、２の評価項目を満足する簡便な試験法としては、直径５ｃｍのろ紙つきシャーレ内にヤマトシロアリの卵エキスと殺虫活性成分を塗布した直径０．４〜０．６ｍｍのガラスビーズ２０個およびヤマトシロアリの卵５個をばらばらに配置させて、健康なヤマトシロアリ職蟻１０頭をこのシャーレ内に放虫することで、簡単に試験することができる。１の評価項目については、ガラスビーズとヤマトシロアリの卵が一緒になった卵塊が形成されることで評価することができる。もし評価する殺虫活性成分が擬似卵の運搬を阻害する場合にはこのような卵塊は形成されない。２の評価項目については、シロアリが擬似卵を運搬する行動をとることで、擬似卵に塗布・含有している殺虫活性成分がシロアリに伝播してシロアリを死亡させる効果を期待し、８０％以上の死虫率を与える殺虫活性成分が必要である。
【００１３】
次に上記３の評価項目についての試験法としては、殺虫活性成分もしくはその成分を含有する製剤をメタノールで希釈して、殺虫活性成分の薬量を０．２μｇ含有するメタノール溶液１μＬを、健康なヤマトシロアリ職蟻の口器部分に投与してから、直径５ｃｍのろ紙つきシャーレ内に放虫し、放虫後２週後にヤマトシロアリ職蟻の死虫率を求めるという簡単な方法である。その結果、死虫率１００％となる殺虫活性成分が、本シロアリ駆除法に適する殺虫活性成分となる。
【００１４】
以下に実地例を示して本発明をさらに具体的かつ詳細に説明するが、実施例はあくまでも例示説明であり、本発明を限定するものではない。
【実施例】
【００１５】
（実施例１）
本シロアリ駆除法に用いられるシロアリ駆除剤を以下のようにして調製した。
アクセル（登録商標）フロアブル（有効成分メタフルミゾン）２５％含有、日本農薬株式会社製）を水で希釈して、有効成分含量が２５．０、５．０、０．５、０．２５または０．０５重量％となるように調整した水希釈液１ｇを底部直径２ｃｍ高さ２．５ｃｍのビーカー内にある５万個の直径０．５ｍｍのガラスビーズに滴下し、充分に攪拌させた。そこに、卵認識フェロモンとして、ヤマトシロアリの卵５個とグリセン１０％含有水溶液１ｇを加えて、さらに充分に攪拌させることにより、擬似卵１粒当たりメタフルミゾン５．０、１．０、０．１、０．０５または０．０１μｇを含有するシロアリ駆除法に用いられるシロアリ駆除剤を得た。
【００１６】
（実施例２）
アジェンダ（登録商標）ＳＣ（有効成分フィプロニル９．１％含有、バイエルクロップサイエンス株式会社製）を水で希釈して、有効成分含量が０．１５、０．０５または０．０１重量％となるように調整した水希釈液１ｇを、実施例１と同じようにして擬似卵１粒当たり有効成分０．０３、０．０１または０．００２μｇを含有する本シロアリ駆除法に用いられるシロアリ駆除剤を得た。
【００１７】
（実施例３）
フェニックス（登録商標）顆粒水和剤（有効成分フルベンジアミド２０％含有、日本農薬株式会社製）を水で希釈して、有効成分含量が０．５または０．２５重量％となるように調整した水希釈液１ｇを、実施例１と同じようにして擬似卵１粒当たり有効成分０．１または０．０５μｇを含有する本シロアリ駆除法に用いられるシロアリ駆除剤を得た。
【００１８】
（比較例１）
プレオ（登録商標）フロアブル（有効成分：ピリダリル１０％含有製剤、住友化学株式会社製）を水で希釈して、有効成分含量が１０、５または１重量％となるように調整した水希釈液１ｇを、実施例１と同じようにして擬似卵１粒当たり有効成分２．０、１．０または０．２μｇを含有する比較例のシロアリ駆除剤を得た。
【００１９】
（比較例２）
ヒドラメチルノン２０重量部、ニューカルゲンＦＳ−２６（竹本油脂株会社製）５重量部、イオン交換水５０重量部を混合し、グレンミルによって１２０分間粉砕した。さらにケルザンＳ（ケルコ社製）０．２５重量部、イオン交換水２４．７５重量部を加えて３０分間攪拌することにより、ヒドラメチルノン２０重量％含有する製剤を得た。この製剤を水で希釈して、有効成分含量が５．０、２．５または０．２５重量％となるように調整した水希釈液１ｇを、実施例１と同じようにして擬似卵１粒当たり有効成分１．０、０．５または０．０５μｇを含有する比較例のシロアリ駆除剤を得た。
【００２０】
（比較例３）
ステルス（登録商標）ＳＣ（有効成分：クロルフェナピル２１％含有製剤、ＢＡＳＦジャパン株式会社製）を水で希釈して、有効成分含量が１．０、０．５または０．１重量％となるように調整した水希釈液１ｇを、実施例１と同じようにして擬似卵１粒当たり有効成分０．２、０．１または０．０２μｇを含有する比較例のシロアリ駆除剤を得た。
【００２１】
（比較例４）
ミケブロック（登録商標）（有効成分ジノテフラン２０％含有、三井化学アグロ株式会社製）を水で希釈して、有効成分含量が０．１、０．０５、０．０１重量％となるように調整した水希釈液１ｇを、実施例１と同じようにして擬似卵１粒当たり有効成分０．０２、０．０１または０．００２μｇを含有する比較例のシロアリ駆除剤を得た。
【００２２】
（比較例５）
アペリオン（登録商標）「ＥＳ」（有効成分インドキサカルブ１４．５％含有、住化エンビロサイエンス株式会社製）を水で希釈して、有効成分含量が０．１、０．０５または０．０１重量％となるように調整した希釈液１ｇを、実施例１と同じようにして擬似卵１粒当たり有効成分０．０２、０．０１または０．００２μｇを含有する比較例のシロアリ駆除剤を得た。
【００２３】
（比較例６）
サイゴー乳剤「ＥＳ」（有効成分ペルメトリン１０．０％含有、住化エンビロサイエンス株式会社製）を水で希釈して、有効成分含量が０．１、０．０５または０．０１重量％となるように調整した希釈液１ｇを、実施例１と同じようにして擬似卵１粒当たり有効成分０．０２、０．０１または０．００２μｇを含有する比較例のシロアリ駆除剤を得た。
【００２４】
（比較例７）
スミチオン（登録商標）１０ＦＬ「ＥＳ」（有効成分フェニトロチオン１０．０％含有、住化エンビロサイエンス株式会社製）を水で希釈して、有効成分含量が０．５、０．２５または０．０５重量％となるように調整した希釈液１ｇを、実施例１と同じようにして擬似卵１粒当たり有効成分０．１、０．０５または０．０１μｇを含有する比較例のシロアリ駆除剤を得た。
【００２５】
（比較例８）
バクトップ（登録商標）ＭＣ「ＥＳ」（有効成分フェノブカルブ１５．０％含有、住化エンビロサイエンス株式会社製）を水で希釈して、有効成分含量が０．５、０．２５または０．０５重量％となるように調整した希釈液１ｇを、実施例１と同じようにして擬似卵１粒当たり有効成分０．１、０．０５または０．０１μｇを含有する比較例のシロアリ駆除剤を得た。
【００２６】
（試験例１）
水を適量含ませた直径５ｃｍの濾紙付シャーレ（ＡＤＶＡＮＴＥＣ（登録商標）  ＰＤ−４７Ｂ、東洋濾紙株式会社製）に、実施例１〜３および比較例１〜８のシロアリ駆除剤２０個をばらばらに配置し、さらにヤマトシロアリの卵５個を同様にばらばらに配置し、ヤマトシロアリ職蟻１０頭を放虫して、２４時間後における卵塊形成の有無、ヤマトシロアリ職蟻のノックダウン率および２週間後の死虫率を求めた。反復は４回とした。結果を表１に示す。判定方法は以下の通りである。２４時間後の卵塊形成が有であり、かつ２週間後に８０％以上の死虫率を満たす場合に判定結果の欄に丸印をつけ、満たさない場合は×印をつけた。
【００２７】
（１）２４時間後の卵塊形成の有無：
供試虫を放虫してから２４時間後に擬似卵が運搬されて一カ所に塊として形成された場合に「有」、擬似卵が運搬されずに塊が見られない場合に「無」と表記した。
（２）２週間後の死虫率：
供試虫を放虫してから２週間後の死虫率を、以下の式で求めた。
死虫率（％）＝（２週間目の時点で死亡しているヤマトシロアリ職蟻の数）÷（最初に供試したヤマトシロアリ職蟻の数）×  １００
【００２８】
【表１】
2015078877.tif 000002
【００２９】
表１より、本シロアリ駆除法に適する殺虫活性成分としては、一つ以上の丸印のある実地例１〜３および比較例１、２の５点が判定基準を満たした。
【００３０】
（試験例２）
実施例１〜３および比較例１、２に記載の製剤を所定濃度となるようにメタノールで希釈した希釈液１μＬをヤマトシロアリ職蟻の口器部分に塗布して、水を適量含ませた直径５ｃｍの濾紙付シャーレ（ＡＤＶＡＮＴＥＣ(登録商標)  ＰＤ−４７Ｂ、東洋濾紙株式会社製）内に放虫して蓋をして、室温で２週間放置した。その後死虫率を求め、１００％の致死率を示す最少薬量を求めた。反復は２０回とした。試験結果を表２の試験例（２）のＡ欄に示した。
【００３１】
（試験例３）
スプルース等の木粉を餌とし、角型ケース（２２１×１４１×３７ｍｍ）内に、ヤマトシロアリ約４００個体を放虫して１ヵ月以上室温に放置させて人工巣を構築させた。次に、実施例１〜３および比較例１〜８のシロアリ駆除剤約５０００個を上述の人工巣内の蟻道付近に配置させた。これらのシロアリ駆除剤の薬量設定については次の通りとした。殺虫活性成分については試験例１の判定結果が丸印の薬量とし、比較例３〜８については試験例１で卵塊形成が認められた薬量とし、これらの結果を表２の試験例（３）のＢ欄に示した。判定方法については、放虫２週間後における人工巣内のヤマトシロアリの死虫率が６０％以上の場合、その巣が正常に機能しないことから、巣駆除が成功したものと判定した。試験結果を表２の試験例（３）の巣駆除の欄に示した。また、Ａ欄とＢ欄の薬量の比率を、表２のＢ／Ａの比率（倍）の欄に示し、擬似卵用の基材に塗布・含有させる殺虫活性成分の薬量が、ヤマトシロアリ１頭を致死させる最小薬量の何倍程度であるかを示した。
【００３２】
【表２】
2015078877.tif 000003
【産業上の利用可能性】
【００３３】
本発明から見出される殺虫活性成分を用いることにより、シロアリによる被害を効果的に防止することができる。